(57)【要約】【課題】  簡単な構成で、展示効果を上げることができる、自動販売機の展示台に設置する半割状の商品見本を提供する。【課題の解決手段】    自動販売機の展示台に設置する半割状商品見本１１は、透明な合成樹脂からなり、商品と同一の図形や文字を表示した表示部１２を有し、側縁部と上縁部には正面方向から視認可能に延出部１４を設け、この延出部１４は、人間が両手を上げて表示部材１４ａを把持した状態を模して形成され、半割状商品見本１１を展示台の装着孔に嵌合係止したときに、展示台の背面と平行に延びるもので、設置する展示台の背面の色とは異なる色を施し、表示部材１４ａには販売促進情報１５を表示する。【選択図】    図３
2006059064.tif 000002
【特許請求の範囲】
【請求項１】
自動販売機の商品見本展示台に設置する合成樹脂からなる半割状の商品見本であって、側縁部と上縁部には正面方向から視認可能に延出部を設け、この延出部には、設置する商品見本展示台の背面の色とは異なる色を施したことを特徴とする自動販売機用商品見本。
【請求項２】
自動販売機の商品見本展示台に設置する合成樹脂からなる半割状の商品見本であって、側縁部と上縁部には正面方向から視認可能に延出部を設け、この延出部には、販売促進情報を表示したことを特徴とする自動販売機用商品見本。
【発明の詳細な説明】
【技術分野】
【０００１】
本発明は、自動販売機の商品見本展示台（以下単に展示台という）に設置する半割状の商品見本に関する。
【背景技術】
【０００２】
近年、自動販売機における商品見本としては、経済性を考慮して、商品形状に倣った円筒状のものよりも半割状のものが多くなっている。この半割状の商品見本は、展示台の装着孔に、下端部に形成した係止部を嵌合係止して、設置するのが一般的である。
【特許文献１】特開２００１−２２９４４４号公報
【発明の開示】
【発明が解決しようとする課題】
【０００３】
商品見本を展示台に展示した場合に、展示台の背面と商品見本の色が同色系であると、商品見本が背面に同化して目立たなくなり、展示効果が劣ってしまうという不都合を生じている。展示効果を上げる方策として、商品広告などの商品販売促進情報を表示した部材を別途用意して、商品見本に取り付けることも行われている。この取り付けは、自動販売機の商品補充の際に、補充作業者によってなされるのであるが、限られた時間での煩雑な作業となるので、所定状態に確実に取り付けられるとは限らず、見にくい状態になったり、展示台前面の開閉扉を開閉する際の風圧で所定状態からずれてしまうという事態をしばしば生じている。したがって、この商品販売促進情報表示部材を使用しても、展示効果はさほど上がらないものであった。
【０００４】
本発明は、上述した事情に鑑みてなされたもので、簡単な構成で、展示効果を上げることができる半割状の商品見本を提供することを目的とする。
【課題を解決するための手段】
【０００５】
この目的を達成するため、本発明の請求項１に係る自動販売機用商品見本は、自動販売機の展示台に設置する合成樹脂からなる半割状の商品見本であって、側縁部と上縁部には正面方向から視認可能に延出部を設け、この延出部には、設置する展示台の背面の色とは異なる色を施したものである。
【０００６】
同じく上述の目的を達成する、本発明の請求項２に係る自動販売機用商品見本は、自動販売機の展示台に設置する合成樹脂からなる半割状の商品見本であって、側縁部と上縁部には正面方向から視認可能に延出部を設け、この延出部の一部には、販売促進情報を表示したものである。
【発明の効果】
【０００７】
本発明の請求項１に係る自動販売機用の半割り状の商品見本によれば、側縁部と上縁部には正面方向から視認可能に延出部を設け、この延出部には、設置する展示台の背面の色とは異なる色を施すという、簡単な構成で、商品見本が背面に同化するのを防ぎ、展示効果を向上するという効果を奏する。
【０００８】
また、本発明の請求項２に係る自動販売機用の半割り状の商品見本によれば、商品見本と一体に設けた延出部に販売促進情報を表示するので、常に所定状態で前記販売促進情報を視認可能となり、簡単な構成で展示効果が向上するとともに、商品見本製造工程で販売促進情報表示部材も同時に製造できるため、製造費用を削減できるという効果を奏する。
【発明を実施するための最良の形態】
【０００９】
以下、本発明の好適な実施形態を添付図面に基づいて説明する。ここにおいて、図１は半割状商品見本の第１実施形態を示す正面図、図２は同じく側面図、図３は第２実施形態を示す正面図である。
【００１０】
図１及び図２に示すように、第１実施形態の半割状商品見本１は、ボトル型の中空成形商品容器を前後に半割状にした形状で透明な合成樹脂製であり、商品容器のデザインにならった図柄や文字を表示した表示部２を有している。
【００１１】
半割状商品見本１の底面には、自動販売機の展示台の装着孔（図示せず）に嵌合係止する嵌入部３を形成し、側縁部と上縁部には正面方向から視認可能に一体的に延出した延出部４を設けている。この延出部４は、半割状商品見本１を前記装着孔に嵌合係止したときに、展示台の背面と平行に延びるもので、図示してはいないが、設置する展示台の背面の色とは異なる色を施している。通常、展示台の背面は白色なので、前記延出部４に施す色は、緑、赤、青等の有彩色を採用する。
【００１２】
本実施形態は、以上のように構成したので、展示台に半割状商品見本１を取り付けた状態で、前記半割状商品見本１の延出部４と展示台の背面との色彩が異なることにより、自動販売機利用者は商品見本としてのボトル形状を明確に視認することができるものである。
【００１３】
次に、本発明に係る第２実施形態を図３に基づき説明する。半割状商品見本１１は、ボトル型の中空成形商品容器を前後に半割状にした形状で透明な合成樹脂製であり、商品容器のデザインにならった図柄や文字を表示した表示部１２を有している。
【００１４】
半割状商品見本１１の底面には、自動販売機の展示台の装着孔（図示せず）に嵌合係止する嵌入部１３を形成し、側縁部と上縁部には正面方向から視認可能に一体的に延出した延出部１４を設けている。この延出部１４は、人間が両手を上げて表示部材１４ａを把持した状態を模して形成され、半割状商品見本１１を前記装着孔に嵌合係止したときに、展示台の背面と平行に延びるもので、設置する展示台の背面の色とは異なる色を施している。そして、前記表示部材１４ａには、販売促進情報１５として、「Ｎｏ．１スポーツ飲料」と表示されている。なお、前記延出部１４に施す色は、上述した第１実施形態と同様であるが、前記表示部材１４ａの色は延出部１４の他の部分と異なる色を採用すると、より視覚的効果が向上して好適である。
【００１５】
本実施形態は、以上のように構成したので、展示台に半割状商品見本１１を取り付けた状態で、前記半割状商品見本１１の延出部１４と展示台の背面との色彩が異なることにより、自動販売機利用者は商品見本としてのボトル形状を明確に視認することができ、また、常に所定状態で販売促進情報１５を視認可能となるものである。
【００１６】
なお、本発明は上述の各実施形態に限定されるものではなく、例えば、延出部４，１４の形状及び大きさは、自動販売機の展示台に半割状商品見本１，１１を設置できるのであればよく、特に限定されない。また、販売促進情報１５の内容も種々変更可能である。さらに、延出部４，１４は、部分的に色彩を施したり、複数の色彩により模様を表示してもよい。さらにまた、販売促進情報１５を表示する延出部１４にあっては、色彩を施すことは必ずしも必須ではない。
【図面の簡単な説明】
【００１７】
【図１】半割状商品見本の第１実施形態を示す正面図。
【図２】同じく側面図。
【図３】半割状商品見本の第２実施形態を示す正面図。
【符号の説明】
【００１８】
１，１１      半割状商品見本
２，１２      表示部
３，１３      嵌入部
４，１４      延出部
１４ａ      表示部材
１５      販売促進情報
【図１】
2006059064.tif 000003
【図２】
2006059064.tif 000004
【図３】
2006059064.tif 000005